(57)【要約】【課題】後付可能な風除室を提供する。【解決手段】この風除室１は、骨組２をアルミ型材で構成している。そのため、この風除室１は、単独の建物として十分な強度を得られ、既存の建物と一体に構成しなくても、風除室１単独で建物となり得る。そのため、この風除室１は、既存の建物に対し、後付で設置することができる。【選択図】図１
0003163459.tif 000002
【実用新案登録請求の範囲】
【請求項１】
建物の玄関の室外側を囲む風除室において、アルミ型材を用いて骨組を形成し、該骨組によって形成された枠にドアやガラスを配置したことを特徴とする風除室。
【請求項２】
請求項１に記載の風除室において、前記枠に鎧戸を配置したことを特徴とする風除室。
【請求項３】
請求項２に記載の風除室において、前記鎧戸は、羽板が回動して開閉可能に構成されていることを特徴とする風除室。
【請求項４】
請求項２，３のいずれか１項に記載の風除室は、前記鎧戸が、前記ガラスやドアが配置される前記枠の上方に形成された前記枠に配置されていることを特徴とする。
【請求項５】
請求項１〜３のいずれか１項に記載の風除室において、前記ガラスが配置された前記枠にはブレスが設置されていることを特徴とする風除室。
【請求項６】
請求項１〜５のいずれか１項に記載の風除室において、屋根は、樹脂をアルミで挟んだアルミ複合板で構成されていることを特徴とする風除室。
【請求項７】
請求項１〜６のいずれか１項に記載の風除室において、当該風除室と、前記建物との隙間部分には、樹脂をアルミで挟んだアルミ複合板が嵌め込まれていることを特徴とする風除室。
【考案の詳細な説明】
【技術分野】
【０００１】
本考案は、建物の玄関の室外側を囲む風除室に関する。
【背景技術】
【０００２】
従来、寒冷地や、海岸沿いなど風の強い地域などでは、建物の玄関の室外側を囲む風除室を設けることが多い。これは、風除室を設けていない状態で玄関の扉を開けると、玄関から直接冷気や風が吹き込むので、これを防止するためである。
【考案の概要】
【考案が解決しようとする課題】
【０００３】
しかし、風除室は、強度の面から単独の建物として構成することが難しいので、建物と一体になって設置されることが一般的であり、既存の建物に後付で設けられることはなかった。
【０００４】
本考案は、上記点に鑑み、後付可能な風除室を提供することを目的とする。
【課題を解決するための手段】
【０００５】
本考案は、上記目的を達成するために、建物の玄関の室外側を囲む風除室において、アルミ型材を用いて骨組を形成し、該骨組によって形成された枠にドアやガラスを配置したことを特徴とする。
【０００６】
本考案の風除室のように、アルミ型材を用いて骨組を構成すると、単独の建物として十分な強度を得られるので、既存の建物と一体に構成しなくても、風除室単独で建物となり得る。そのため、本考案の風除室は、既存の建物に対し、後付で設置することができる。
【０００７】
次に、請求項２に記載した風除室のように、骨組によって形成された枠には、ドアやガラスの他に鎧戸を配置してもよい。鎧戸とは、いわゆるガラリ（ルーバー）のことである。
【０００８】
そして、この鎧戸は、請求項３に記載したように、羽板が回動して開閉可能に構成されていることが好ましい。風除室内の空気が悪くなった場合など、必要に応じて、鎧戸を開くことにより、風除室内に空気を取り込むことができ、一方、鎧戸を閉めておけば、風除室のドアが開けられない限りは風除室内に外気が入らないので、玄関を介して建物内に冷気等が入ることを確実に防止できる。
【０００９】
尚、鎧戸は、請求項４に記載したように、ガラスやドアが配置される枠の上方に形成された枠に配置することが好ましいが、風除室を設ける回りの環境によって、ガラスが配置される枠の下方に形成された枠に鎧戸を配置する構成としてもよい。
【００１０】
次に、請求項５に記載した風除室のように、ガラスが配置される枠には補強のためブレスを設置してもよい。ブレスとは、枠の対角の頂点を結んで配置した補強材をいう。
次に、請求項６に記載した風除室のように、屋根は、樹脂をアルミで挟んだアルミ複合板で構成してもよい。屋根は周囲環境の影響を最も受ける場所であり、重量も軽くする必要があるので、それに対応した素材を用いることが好ましいからである。
【００１１】
尚、請求項７に記載した風除室のように、当該風除室と、建物との隙間部分にも、樹脂をアルミで挟んだアルミ複合板を嵌め込むことが好ましい。成形がしやすいからである。
【図面の簡単な説明】
【００１２】
【図１】本実施形態の風除室の説明図で、（ａ）は風除室の正面図、（ｂ）は風除室の左側面図（（ａ）の矢印Ａから見た図）である。
【図２】本実施形態の風除室の説明図で、（ａ）はドアが開く様子を模式的に示した図で、風除室を上方から見た平面模式図、（ｂ）は図１（ａ）のＢ−Ｂ’を結ぶ線に沿った鎧戸の断面図で、鎧戸を開けた様子を示し、（ｃ）は図１（ａ）のＢ−Ｂ’を結ぶ線に沿った鎧戸の断面図で鎧戸を閉じた様子を示し、（ｄ）は図１（ｂ）のＣ−Ｃ’を結ぶ線に沿ったアルミ複合板の断面図である。なお、（ｂ）（ｃ）では、断面を示す斜線は省略してある。
【図３】（ａ）は屋根を建物にアンカーボルトを用いて固定する様子を説明するための説明図で、（ｂ）（ｃ）は柱を構成する骨組を地面に形成された土台にアンカーボルトを用いて固定する様子を説明するための説明図で、（ｂ）左側面の建物側部分を示した図で（ｃ）は（ｂ）以外の部分を示した図である。
【図４】屋根の変形例で、屋根を上方から見た図である。
【考案を実施するための形態】
【００１３】
以下に本考案の実施形態を図面と共に説明する。
本実施形態の風除室１は、建物の玄関の室外側を囲む建造物で、建物に取り付けられる側以外の側面に、骨組によってガラスやドアを嵌め込む枠が形成されている。
【００１４】
この風除室１は、図１に示すように、本実施形態の風除室用の強度を有する構造アルミ型材を用いて骨組２が形成されている。
本実施形態の風除室１は、図１（ａ）に示すように、正面側から見ると、上下方向に長尺な３枚のガラス３が左右に並べられて配置され、各ガラス３の上方には鎧戸４が配置され、これら各ガラス３及び鎧戸４を囲むように骨組２が組まれてガラス３及び鎧戸４を嵌め込む枠を形成している。
【００１５】
また、中央のガラス３を嵌め込む枠には、非建物側（図１（ａ）の紙面の表面側）に、枠の角部を対角線上に結んで形成されたブレス３０が設置されている。
なお、以下では、ガラス３が並べられる方向を左右方向という。
【００１６】
次に、本実施形態の風除室１は、図１（ｂ）に示すように、左側面から見ると、建物とは反対側に寄せてドア５が配置され、このドア５の建物側に上下方向に長尺な小ガラス３ａが配置され。ドア５及び小ガラス３ａの上方に側面ガラス３ｂが配置される。また、小ガラス３ａのさらに建物側には、上下方向に長尺なガラス複合板で構成された隙間材６が配置される。
【００１７】
そして、骨組２は、側面ガラス３ｂ及び小ガラス３ａの周囲及び、ドア５の上方と建物側と非建物側、及び、隙間材６の下端部分に配置され、ドア５や側面ガラス３ｂ及び小ガラス３ａを配置する枠を形成している。
【００１８】
一方、本実施形態の風除室１の右側面の詳細は省略するが、図２（ａ）に示すように、正面側から見て左右対称にドアが開くようにドア５や、側面ガラス３ｂ及び小ガラス３ａ、隙間材６が配置されている。
【００１９】
また、屋根７は、図１に示すように、ガラス複合板で構成された一枚板の材料で構成されており、建物側から非建物側に向かって傾斜を付けた状態で風除室１の上方を覆う。また、この屋根７の建物側には水切り７ａ（図３（ａ）参照）が設けられている。
【００２０】
次に、鎧戸４は、図２（ｂ）（ｃ）に示すように、複数の羽板４０を上下に等間隔に並べた形状に形成されており、各羽板４０を、左右方向に沿った中心軸に沿って回転させると、各羽板４０の間に、外部から風除室１内に空気を取り込む空間を形成したり、その空間を閉じたりすることができ、すなわち開閉可能に形成されている。
【００２１】
以上のように構成された風除室１の固定は、図３に示すように、骨組２のうち柱を構成する部分の底部にアンカーボルトが通され、アンカーボルトの先端を、地面上に形成された土台に螺入することにより地面に固定されている。
【００２２】
また、屋根７は、水切り７ａを建物にアンカーボルトを用いて固定することにより建物に固定されている。
なお、アルミ複合材は、図２（ｄ）に示すように、合成樹脂をアルミ板で挟んだ形状の材料である。
【００２３】
上記風除室１を用いると下記の様な特別な作用効果がある。
本実施形態の風除室１は、アルミ型材を用いて骨組２を構成しているので、単独の建物として十分な強度を得られる。そのため、本実施形態の風除室１は、既存の建物と一体に構成しなくても、風除室１単独で建物となり得る。そのため、本実施形態の風除室１は、既存の建物に対し、後付で設置することができる。
【００２４】
また、本実施形態の風除室１は、鎧戸４が設置されている。そのため本実施形態の風除室１は、風除室１内の空気が悪くなった場合など、必要に応じて、鎧戸４を開くことにより、風除室１内に空気を取り込むことができる。また、鎧戸４を閉めておけば、風除室１のドア５が開けられない限りは風除室１内に外気が入らないので、玄関を介して建物内に冷気等が入ることを確実に防止できる。
【００２５】
また、本実施形態の風除室１は、屋根７をアルミ複合板で構成している。このようにしているのは屋根７が周囲環境の影響を最も受ける場所であり、また建物上部に配置されるので重量を軽くする必要もあり、それに対応した素材としてアルミ複合板が優れているからである。
【００２６】
また、風除室１と、建物との間に隙間がある場合は、本実施形態の風除室１のように、隙間部分に、アルミ複合板からなる隙間材６を配置している。隙間を埋めるため、その隙間の形状にあったものを形成する必要があるが、アルミ複合板は加工が容易なので、このような用途に最適だからである。
【００２７】
（その他の実施形態）
なお、図４に示すように、風除室の屋根７’は、３枚のガラス３’を３つ左右方向に並べ、各ガラス３’の周囲を囲う用に骨組２’を形成するアルミ型材を用いてこれらガラス３’を嵌め込む枠を形成するようにしてもよい。このとき、各ガラス３’の上方には、ブレス３０’を配置するとよい。
【００２８】
本考案は、実用新案登録請求の範囲に記載された考案の趣旨に合致するものであればよく、上述の実施形態に限定されるものではない。
【符号の説明】
【００２９】
１…風除室、２…骨組、３…ガラス、３ａ…小ガラス、３ｂ…側面ガラス、４…鎧戸、５…ドア、６…隙間材、７…屋根、７ａ…水切り、３０…ブレス、４０…羽板。
【図１】
0003163459.tif 000003
【図２】
0003163459.tif 000004
【図３】
0003163459.tif 000005
【図４】
0003163459.tif 000006